(57)【特許請求の範囲】
【請求項１】
硬質材料にて形成せる中央板部と両側の側部板部とを並設すると共に中央板部の両側の側端と両側の側部板部の側端との間を軟質材料よりなる連結部で連結してヒンジ体を形成し、隣り合う戸パネルの端面間に上記ヒンジ体を配置すると共にヒンジ体の側部板部を戸パネルの端面に沿わせて取着し、上記ヒンジ体の表面に化粧シートを被着し、ヒンジ体の表面に被着する化粧シートと外観を揃えた化粧シートを戸パネルの表面に被着して成ることを特徴とする折り戸のヒンジ部の構造。
【請求項２】
隣接する戸パネルが略面一になるように折り戸を展開した状態で互いに当接して逆折れ防止する面取り面を中央板部と側部板部の側端に設けて成ることを特徴とする請求項１記載の折り戸のヒンジ部の構造。
【発明の詳細な説明】
【０００１】
【発明の属する技術分野】
本発明は折り戸で隣接する戸パネルを回転自在に連結するヒンジ部の構造に関するものである。
【０００２】
【従来の技術】
従来の二つ折り戸のような折り戸は、図３に示すように隣り合う戸パネル１をヒンジ部２′に連結して折り畳み自在に形成されている。ヒンジ部２′は樹脂製のキャップａとアルミニウムのような金属製のヒンジチャンネルｂにて形成されている。キャップａは戸パネル１の端面を覆うように被着され、埋め込み片ｃが戸パネル１に埋設されるように打ち込まれており、各キャップａには断面Ｃ字状の軸受け部ｄが設けられている。ヒンジチャンネルｂは略コ字状であり、両側端に断面円状の軸部ｅが設けられている。隣り合う戸パネル１のキャップａ間にはヒンジチャンネルｂが配置され、ヒンジチャンネルｂの軸部ｅが軸受け部ｄに回転自在に嵌合されている。
【０００３】
【発明が解決しようとする課題】
ところが、上記従来例にあっては、キャップａを取り付けるとき打ち込みで取り付けなければならなく、取り付けが困難であるという問題がある。またヒンジ部２′が軸受け部ｄを有するキャップａと軸部ｅを有するヒンジチャンネルｂで構成されており、構造が複雑であるという問題がある。またキャップａが樹脂単色であるために安っぽい外観となるという問題がある。
【０００４】
本発明は叙述の点に鑑みてなされたものであって、取り付けが容易にでき、しかも構造を簡単にでき、さらに外観をよくできる折り戸のヒンジ部の構造を提供することを課題とする。
【０００５】
【課題を解決するための手段】
上記課題を解決するため本発明の請求項１の折り戸のヒンジ部の構造は、硬質材料にて形成せる中央板部３と両側の側部板部４とを並設すると共に中央板部３の両側の側端と両側の側部板部４の側端との間を軟質材料よりなる連結部５で連結してヒンジ体２を形成し、隣り合う戸パネル１の端面間に上記ヒンジ体２を配置すると共にヒンジ体２の側部板部４を戸パネル１の端面に沿わせて取着し、上記ヒンジ体２の表面に化粧シート６を被着し、ヒンジ体２の表面に被着する化粧シート６と外観を揃えた化粧シート７を戸パネル１の表面に被着して成ることを特徴とする。ヒンジ体２の連結部５を屈曲部として折り曲げができ、ヒンジ体２の構造を従来に比べて簡単にできる。またヒンジ体２の側部板部４を戸パネル１の端面に沿わせて取り付けることができるため、ビス等にて取り付けることができて従来に比べて戸パネル１への取り付けが容易にできる。さらにヒンジ体２の表面に化粧シート６を取り付けることで従来に比べて外観を向上できる。またヒンジ体２の外観と戸パネル１の外観を揃えて折り戸の外観を一層向上できる。
【０００７】
また本発明の請求項２の折り戸のヒンジ部の構造は、請求項１において、隣接する戸パネル１が略面一になるように折り戸を展開した状態で互いに当接して逆折れ防止する面取り面８を中央板部３と側部板部４の側端に設けて成ることを特徴とする。隣接する戸パネル１が略面一になるように折り戸を展開した状態で中央板部３の面取り面８と側部板部４の面取り面８とが当接して折り畳む方向と逆方向に折れるのを防止でき、上記のような構造のヒンジ体２でも折り戸の逆折れを防止し、指詰めしたりするのを防止できる。
【０００８】
【発明の実施の形態】
折り戸は例えば二つ折り戸であり、図１に示すように一対の戸パネル１をヒンジ体２にて回転自在に連結して形成されている。ヒンジ体２は図２に示すように硬質材料にて形成せる中央板部３と、硬質材料にて形成せる一対の側部板部４と、軟質材料にて形成させる連結部５と、表面に被着した化粧シート６にて形成されている。中央板部３や側部板部４は上下に細長い板材であり、硬質合成樹脂のような硬質材料にて形成されている。連結部５は中央板部３の側端と側部板部４とを屈曲自在に連結するものであり、軟質合成樹脂のような軟質材料にて形成されている。中央板部３や側部板部４や連結部５を合成樹脂にて形成するとき２色成形等で一体に成形してもよい。
【０００９】
また連結部５で連結する部分の表面側で中央板部３や側部板部４の側端には略４５°に面取りした面取り面８が形成されている。また中央板部３や側部板部４や連結部５の表面側には全面に亙るように化粧シート６を被着してある。本例の場合、化粧シート６を側部板部４の裏面に至るまで被着してある。戸パネル１の表面にも化粧シート７を貼ってあり、戸パネル１の化粧シート７とヒンジ体２の化粧シート６の外観を揃えている。折り戸を組み立てる場合、一対の戸パネル１の端面間にヒンジ体２が配置され、戸パネル１の端面に側部板部４の裏面を沿わせ、ビス等の固着具にて固着することでヒンジ体２が取り付けられる。
【００１０】
上記のように構成せる折り戸は図１（ａ）に示すように隣り合う戸パネル１が略面一になるように展開することで開口が閉塞され、図１（ｂ）に示すように隣り合う戸パネル１が平行になるように折り畳むことで開口が開放される。このとき、ヒンジ体２の連結部５で屈曲して折り曲げることができる。また図１（ａ）のように隣り合う戸パネル１を展開して開口を閉じたときにはヒンジ体２の側部板部４の面取り面８と中央板部３の面取り面８とが当接してそれ以上回転することがなくなり、折れ戸が逆折れするのを防止でき、上記のような構造のヒンジ体２でも指詰めしたりするのを防止できる。
【００１１】
【発明の効果】
本発明の請求項１の発明は、硬質材料にて形成せる中央板部と両側の側部板部とを並設すると共に中央板部の両側の側端と両側の側部板部の側端との間を軟質材料よりなる連結部で連結してヒンジ体を形成し、隣り合う戸パネルの端面間に上記ヒンジ体を配置すると共にヒンジ体の側部板部を戸パネルの端面に沿わせて取着し、上記ヒンジ体の表面に化粧シートを被着しているので、ヒンジ体の連結部を屈曲部として折り曲げができ、ヒンジ体の構造を従来に比べて簡単にできるものであり、またヒンジ体の側部板部を戸パネルの端面に沿わせて取り付けることができるため、ビス等にて取り付けることができて従来に比べて戸パネルへの取り付けが容易にできるものであり、さらにヒンジ体の表面に化粧シートを取り付けることで従来に比べて外観を向上できるものである。またヒンジ体の表面に化粧シートを被着し、ヒンジ体の表面に被着する化粧シートと外観を揃えた化粧シートを戸パネルの表面に被着したので、ヒンジ体の外観と戸パネルの外観を揃えて折り戸の外観を一層向上できるものである。
【００１３】
また本発明の請求項２の発明は、請求項１において、隣接する戸パネルが略面一になるように折り戸を展開した状態で互いに当接して逆折れ防止する面取り面を中央板部と側部板部の側端に設けているので、隣接する戸パネルが略面一になるように折り戸を展開した状態で中央板部の面取り面と側部板部の面取り面とが当接して折り畳む方向と逆方向に折れるのを防止でき、上記のような構造のヒンジ体でも折り戸の逆折れを防止し、指詰めしたりするのを防止できるものである。
【図面の簡単な説明】
【図１】本発明の実施の形態の一例を示し、（ａ）は展開して開口を閉塞した状態の一部切欠断面図、（ｂ）は折り畳んで開口を開放した状態の一部切欠断面図である。
【図２】同上のヒンジ体の展開した状態の断面図である。
【図３】従来例を示す一部切欠断面図である。
【符号の説明】
１  戸パネル
２  ヒンジ体
３  中央板部
４  側部板部
５  連結部
６  化粧シート
７  化粧シート
８  面取り面
【図１】
0003654121.tif 000002
【図２】
0003654121.tif 000003
【図３】
0003654121.tif 000004